(57)【要約】  本発明は、圧縮コネクタのためのターミナル、相互に接続されたターミナルのターミナルストリップ、及びターミナルを圧縮コネクタ内に挿入するための方法である。ターミナルは、第１の方向に沿って延在している細長い本体、及び本体の一方の端部に形成され、第１の方向に対して略垂直に延在している半田付け尾部を有する半田付け部分と、半田付け部分の本体に取り付けられ、第１の方向に概略的に延在している支持部材とを備えている。
2009510690.tif 000002
【特許請求の範囲】
【請求項１】
第１の方向に沿って延在している細長い本体、及び前記本体の一方の端部に形成され、前記第１の方向に対して略垂直に延在している半田付け尾部を備えている半田付け部分と、
前記半田付け部分の前記本体に取り付けられ、前記第１の方向において延在している支持部材と、
を備えていることを特徴とする圧縮コネクタのためのターミナル。
【請求項２】
前記ターミナルの横幅は、前記半田付け部分の前記本体の長手方向の長さと略同一とされるか、又は小さいことを特徴とする請求項１に記載のターミナル。
【請求項３】
横方向の基部によって結合され、且つ２つの略平行な脚部を有している略Ｕ字状の弾性部を備え、
前記略Ｕ字状の弾性部分の前記脚部のうち一方の脚部が、前記半田付け尾部に対して対向する前記半田付け部の前記本体の端部で前記半田付け部分の前記本体に接続され、前記第１の方向に対して略垂直に延在していることを特徴とする請求項２に記載のターミナル。
【請求項４】
前記弾性部分は、前記ターミナルをコネクタハウジング内に固定するために、前記一方の脚部に形成された保持用突起部を備えていることを特徴とする請求項３に記載のターミナル。
【請求項５】
前記ターミナルをコネクタハウジング内に押し込むことができるように、前記半田付け尾部に対して対向する前記半田付け部分の前記本体の端部に形成され、前記第１の方向に対して略垂直に延在している延長部分を備えていることを特徴とする請求項１〜４のいずれか一項に記載のターミナル。
【請求項６】
前記支持部材は、前記半田付け部分の前記本体に取り外し可能に接続されていることを特徴とする請求項１〜５のいずれか一項に記載のターミナル。
【請求項７】
前記支持部材は、破断線を介して前記半田付け部分の前記本体に接続されていることを特徴とする請求項６に記載のターミナル。
【請求項８】
前記支持部材は、ベース部分に接続されたステム部分を備え、
前記ステム部分は、前記半田付け部分の前記本体に接続されていることを特徴とする請求項１〜７のいずれか一項に記載のターミナル。
【請求項９】
前記ベース部分は、他のターミナルの他のベース部分に接続され、これによりターミナルストリップを形成することを特徴とする請求項８に記載のターミナル。
【請求項１０】
相互に接続されたターミナルから成る、圧縮コネクタのためのターミナルストリップであって、
前記ターミナルそれぞれが、
第１の方向に沿って延在している細長い本体、及び前記本体の一方の端部に形成され、前記第１の方向に対して略垂直に延在している半田付け尾部を備えている半田付け部分と、
前記半田付け部分の前記本体に取り付けられ、前記第１の方向において延在している支持部材と、
を備えていることを特徴とするターミナルストリップ。
【請求項１１】
ターミナルを圧縮コネクタハウジング内に挿入するための方法であって、
前記ターミナルが、第１の方向に沿って延在している細長い本体、及び前記本体の一方の端部に形成され、前記第１の方向に対して略垂直に延在している半田付け尾部を有した半田付け部分を備えている方法において、
前記半田付け部分の前記本体に取り付けられ、且つ前記第１の方向に延在している支持部材を、前記第１の方向が前記圧縮コネクタハウジングの側壁に対して略平行とされるように位置合わせするステップを備えていることを特徴とする方法。
【請求項１２】
前記半田付け尾部に対して対向する前記半田付け部分の前記本体の端部に形成され、且つ前記第１の方向に対して略垂直に延在している前記ターミナルの延長部分を利用して、前記ターミナルを前記圧縮コネクタハウジング内に押し込むステップを備えていることを特徴とする請求項１１に記載の方法。
【請求項１３】
前記ターミナルを前記圧縮コネクタハウジング内に挿入した後に、前記半田付け部分の前記本体から前記支持部材を接続解除するステップを備えていることを特徴とする請求項１１又は１２に記載の方法。
【請求項１４】
相互接続されたターミナルから成るターミナルストリップから前記ターミナルを供給するステップを備えていることを特徴とする請求項１１〜１３のいずれか一項に記載の方法。
【発明の詳細な説明】
【技術分野】
【０００１】
本発明は、圧縮コネクタのためのターミナル、圧縮コネクタのための相互に接続されたターミナルから成るターミナルストリップ、及び圧縮コネクタハウジング内にターミナルを挿入するための方法に広く関する。
【背景技術】
【０００２】
一般に、圧縮コネクタは、コネクタハウジング内に配置された１つ以上のターミナルを備えている。ターミナルは、一般にコネクタの組立の際に事前組立されたハウジング内に挿入される。組み立てることを目的として、ターミナルはターミナルを運搬するためのキャリアを有している。一の構成では、キャリアは、自身を延長するものとして、半田付け尾部でターミナルに取り付けられている。半田付け尾部及びキャリアは、一般にターミナルの一の端部に配置され、ターミナルの本体に対して略垂直に延在している。
【０００３】
ターミナルがハウジング内に挿入された後に、キャリアは、半田付け尾部から切り欠かれるか、又は切除される。半田付け尾部は、キャリアを取り外す過程において損傷する恐れがある一方で、半田付け尾部をコネクタが取り付けられるボード上に効果的に半田付けすることができる。
【０００４】
他のターミナルの構成では、キャリアはターミナルの保持領域でターミナルに取り付けられる。保持領域は、一般にターミナルの高さの中心に配置されている。当該構成では、キャリアは、ターミナルの本体に対して略垂直に配置されている。キャリアは、ターミナルがハウジング内に挿入された後に保持領域から切り欠かれるか、又は切除される。
【０００５】
従って、上述のターミナルの構成、特にキャリアが半田付け尾部に取り付けられた場合には、ターミナルの一部はキャリアの所定の平面から比較的大きく離間されている。従って、ターミナルの一部は運搬又は処理の際に曲げられてしまう恐れがある。
【０００６】
これらの問題は、ターミナルの高さがターミナルの幅（又は深さ）よりも大きい場合に特に重要である。従って、大きなターミナルは、圧縮する際に過度のワイピング（wiping）を防止するために曲がり（deflection）を低減し、最終的なコネクタの高さに一致するように利用される
【発明の開示】
【発明が解決しようとする課題】
【０００７】
従って、上述の問題のうち少なくとも１つの問題を解決するように構成されたターミナルを求めるニーズがある。
【課題を解決するための手段】
【０００８】
従って、本発明の第１の実施態様では、第１の方向に沿って延在している細長い本体、及び本体の一方の端部に形成され、第１の方向に対して略垂直に延在している半田付け尾部を備えている半田付け部分と、半田付け部分の本体に取り付けられ、第１の方向において延在している支持部材とを備えている圧縮コネクタのためのターミナルを提供する。
【０００９】
ターミナルの横幅は、半田付け部分の本体の長手方向の長さと略同一とされるか、又は小さい。
【００１０】
ターミナルは、横方向のベース部分によって結合され、且つ２つの略平行な脚部を有している略Ｕ字状の弾性部をさらに備え、略Ｕ字状の弾性部分の脚部のうち一の脚部が、半田付け尾部に対して半田付け部の本体の対向する端部で半田付け部分の本体に接続され、第１の方向に対して略垂直に延在している。
【００１１】
弾性部分は、ターミナルをコネクタハウジング内に固定するために保持用突起部を備えている。
【００１２】
ターミナルは、ターミナルをコネクタハウジング内に押し込むことができるように、半田付け尾部に対して半田付け部分の本体の対向する端部で形成され、第１の方向に対して略垂直に延在している延長部分を備えている。
【００１３】
支持部材は、半田付け部分の本体に取り外し可能に接続されている。
【００１４】
支持部材は、破断線を介して半田付け部分の本体に接続されている。
【００１５】
支持部材は、ベース部分に接続されたステム部分を備え、ステム部分は、半田付け部分の本体に接続されている。
【００１６】
ベース部分は、他のターミナルの他のベース部分に接続され、これによりターミナルストリップを形成する。
【００１７】
本発明の第２の実施態様では、相互に接続されたターミナルから成る、圧縮コネクタのためのターミナルストリップであって、第１の方向に沿って延在している細長い本体、及び本体の一方の端部に形成され、第１の方向に対して略垂直に延在している半田付け尾部を備えている半田付け部分と、前記半田付け部分の本体に取り付けられ、第１の方向において延在している支持部材とを備えているターミナルストリップを提供する。
【００１８】
本発明の第３の実施態様では、ターミナルを圧縮コネクタハウジング内に挿入するための方法であって、ターミナルが、第１の方向に沿って延在している細長い本体、及び本体の一方の端部に形成され、第１の方向に対して略垂直に延在している半田付け部分を備えている方法において、半田付け部分の本体に取り付けられ、第１の方向が圧縮コネクタハウジングの側壁に対して略平行とされるように、第１の方向に延在している支持部材を位置合わせするステップを備えている方法を提供する。
【００１９】
当該方法は、半田付け尾部に対して半田付け部分の本体の対向する端部に形成され、且つ、第１の方向に対して略垂直に延在しているターミナルの延長部分を利用して、ターミナルを圧縮コネクタハウジング内に押し込むステップを備えている。
【００２０】
当該方法は、ターミナルを圧縮コネクタハウジング内に挿入した後に、半田付け部分の本体から支持部材を接続解除するステップを備えている。
【００２１】
当該方法は、相互接続されたターミナルから成るターミナルストリップからターミナルを供給するステップを備えている。
【００２２】
本発明の実施例について、当業者であれば図面と併せて発明の詳細な説明から理解することができる。発明の詳細な説明及び図面は、例示的なものにすぎないことに留意すべきである。
【発明を実施するための最良の形態】
【００２３】
図１は、例示的な実施例におけるターミナル１００の斜視図である。ターミナル１００は、長手軸線１０７、略Ｕ字状のコンタクト部分１０２、略Ｕ字状の中間部分１０４、半田付け部分１０６、及びキャリア部分１０８を有している。コンタクト部分は、横方向の基部１０５によって結合された一組の略平行な脚部１０３を有している。脚部１０３は、長手軸線１０７に対して略垂直に延在している。中間部分１０４は、横方向の基部１１１によって結合された略平行な一組の脚部１０９を有している。脚部１０３は、長手軸線１０７に対して略平行に延在している。
【００２４】
半田付け部分１０６は、細長い本体１１０及び半田付け尾部１１２を備えている。例示的な実施例では、半田付け尾部１１２は、本体１１０の一方の端部に形成され、本体１１０から略垂直に延在している。キャリア部分１０８は、本体１１０に接続され、概略的に本体１１０の方向に延在している。キャリア部分１０８は、破断線１１４で囲まれた部分において本体１１０に取り外し可能に接続されている。
【００２５】
キャリア部分１０８を本体１１０に対して略平行に配置することによって、ターミナル１００の大部分がキャリア部分１０８の平面から離間しないので、ターミナル１１０が作業中に容易に運搬可能となる。このように、ターミナル１００は、運搬中において曲げられる恐れがほとんど無くなる。例示的な実施例では、半田付け部分１０６の本体１１０に対して垂直なターミナル１００の長さ１１３は、本体１１０の長さ１１５と略同一とされるか又は小さい。長さ１１３は、コンタクト部分１０２から中間部分１０４の端に至る横幅である。
【００２６】
例示的な実施例では、ターミナル１００のキャリア部分１０８は、ベース部分１１８に接続されたステム部分１１６を備えている。ステム部分１１６は、半田付け部分１０６の本体１１０に接続されている。ターミナル１００のベース部分１１８が他のターミナル１００の他のベース部分１１８に接続され、これによりターミナル１００のターミナルストリップが形成される。
【００２７】
図２は、例示的な実施例における相互接続されたターミナル、例えばターミナル１００から成るターミナルストリップ２００の斜視図である。相互接続されたターミナル、例えばターミナル１００は、互いに隣接して配置されている。所定長さのターミナルストリップ２００は、製造プロセス中に供給されるようにリール（図示しない）又はカートリッジ（図示しない）の周囲に巻き付けられている。
【００２８】
図１を参照すると、延長部分１２０は、半田付け尾部１１２に対して対向する半田付け部分１０６の本体１１０の端部に形成されている。例示的な実施例における延長部分１２０は、本体１１０から垂直に延在している。例示的な実施例では、延長部分１２０によってターミナル１００をコネクタハウジング（図示しない）に容易に押し込むことができる。ターミナル１００及びコネクタハウジング（図示しない）の組立の詳細について、図３を参照して以下に説明する。
【００２９】
半田付け尾部１１２に対して対向する半田付け部分１０６の本体１１０の端部において、Ｕ字状の中間部分１０４の脚部１２２は本体１１０に接続されている。例示的な実施例では、中間部分１０４の脚部１２２は、半田付け尾部１１２の反対方向において本体１１０から略垂直に延在している。中間部分１０４の脚部１２４は、コンタクト部分１０２の脚部１２６に接続されている。例示的な実施例では、中間部分１０４の脚部１２４とコンタクト部分１０２の脚部１２６とは、互いに対して略垂直に延在している。
【００３０】
Ｕ字状の中間部分１０４は、コンタクト部分１０２に弾性を付与するので、プリント回路基板（ＰＣＢ）（図示しない）がコンタクト部分１０２に押された場合に作用する圧縮力を吸収することができる。例示的な実施例では、保持用突起部１２８（retention barb）が中間部分１０４の脚部１２２に形成されている。ターミナル１００がコネクタハウジング（図示しない）に挿入された後に、保持用突起部１２８がコネクタハウジング（図示しない）内のターミナル１００を固定する。
【００３１】
図３は、例示的な実施例における圧縮コネクタ３００の斜視図である。圧縮コネクタ３００の組立の際に、長手方向の軸線１０７がコネクタハウジング３００の側壁３０１に対して略平行な状態で、相互に接続されたターミナル、例えばターミナル１００から成るターミナルストリップ２００は、コネクタハウジング３０２近傍に保持され、各キャビティ３０４の前方に位置合わせされている（図３の右側を参照）。ブロック３０６は、方向３０８においてハウジング３０２内にターミナル１００を押し込むために利用される。ターミナル１００がハウジング３０２内に押し込まれる際に、ブロック３０６は各ターミナル１００の延長部分１２０を押す。保持用突起部（図１の参照符号１２８）は、ハウジング３０２の側壁と係合することによってハウジング３０２内にターミナル１００を固定する。
【００３２】
ターミナルがハウジング３０２内に挿入された後に、キャリア部分１０８は半田付け部分１０６の本体（図１の参照符号１１０）から接続解除される。例示的な実施例では、キャリア部分は、破断線１１４で本体１１０から切り欠かれているか、又は切除されている。
【００３３】
キャビティ３０４がハウジング３０２に沿って二列で配置されていることが図示されている。例示的な実施例では、二列のキャビティ３０４は、互いに隣り合って配置されている。
【００３４】
ハウジング３０２には、ハウジング３０２の基部に４つの矩形状の突起部３１０がさらに形成されている。例示的な実施例では、突起部３１０は、ＰＣＢ（図示しない）上にコネクタ３００を取り付ける際に利用される。
【００３５】
広い意味合いで説明される本発明の技術的思想又は技術的範囲から逸脱することなく、当該実施例に表わすような多数の変化及び／又は改良が本発明に対して実施可能であることは当業者にとって明白である。従って、本願の実施例は、図示されるあらゆることを包含し、限定的に解釈されるべきではないことに留意すべきである。
【００３６】
例えばターミナルは、例えば銅合金、リン青銅、金メッキ材料やブリキのような導電性材料から成る。しかしながら、導電性材料が上記材料に限定される訳ではない。さらに、ターミナルは、例えば切断や圧縮成形のような既知の方法を利用することによって製造可能とされる。しかしながら、方法が上記手段に限定される訳ではない。
【００３７】
さらに、ハウジングは、高温に耐える工業プラスチックや他の非導電性材料から成る。他の非導電性材料としては、例えば一般的な工業プラスチックや液晶高分子材料（ＬＣＰ）が挙げられるが、これらに限定される訳ではない。ハウジングは、例えば注入成形や鋳造成形のような既知の方法を利用することによって製造可能とされる。しかしながら、方法は、上記方法に限定される訳ではない。
【００３８】
ターミナル及び／又はハウジングの形状は、例示的な実施例に示す形状に限定される訳ではない。相違する形状のコンタクト部分、中間部分、半田付け部分、及びキャリア部分も含めて、他の形状であっても、異なる実施例では利用可能である。
【００３９】
さらに、場合によっては、１つのハウジング当たりのターミナルの数は相違する実施例では異なる。
【図面の簡単な説明】
【００４０】
【図１】本発明における例示的な実施例のターミナルの斜視図である。
【図２】本発明における例示的な実施例の、相互接続された圧縮コネクタのターミナルストリップの斜視図である。
【図３】本発明における例示的な実施例の圧縮コネクタの斜視図である。
【符号の説明】
【００４１】
１００  ターミナル
１０１  
１０２  コンタクト部分
１０３  脚部
１０４  中間部分
１０５  
１０６  半田付け部分
１０７  長手軸線
１０８  キャリア部分
１０９  脚部
１１０  本体
１１１  基部
１１２  半田付け尾部
１１３  長さ
１１４  破断線
１１５  長さ
１１６  ステム部分
１１８  ベース部分
１２０  延長部分
１２２  脚部
１２４  脚部
１２６  脚部
１２８  保持用突起部
２００  ターミナルストリップ
３００  圧縮コネクタ
３０１  側壁
３０２  コネクタハウジング
３０４  キャビティ
３０６  ブロック
３０８  方向
３１０  突起部
【図１】
2009510690.tif 000003
【図２】
2009510690.tif 000004
【図３】
2009510690.tif 000005
【国際調査報告】
2009510690.tif 000006
2009510690.tif 000007
2009510690.tif 000008